(57)【要約】【課題】エンジン停止時の騒音や振動を軽減して、これらの騒音や振動による乗員の不快感を抑制でき、ひいては車両のドライバビリティを向上できるエンジンの自動停止装置を提供する。【解決手段】停止条件が成立したときに（ステップＳ２がＹＥＳ）、エンジン停止処理を行うと共に（ステップＳ６）、スタータジェネレータの発電電流を増加させ（ステップＳ８）、これによりスタータジェネレータの発電量増加に伴ってエンジン側に大きな回転抵抗を作用させ、エンジン回転速度を急激に低下させる。【選択図】      図３
2004293327.tif 000002
【特許請求の範囲】
【請求項１】
エンジンのクランク軸に連結されたスタータジェネレータと、
上記スタータジェネレータの発電負荷を増加可能な発電負荷増加手段と、
所定の停止条件が成立したときに上記エンジンを停止させると共に、該エンジン停止時に上記発電負荷増加手段により上記スタータジェネレータの発電負荷を増加させる制御手段と
を備えたことを特徴とするエンジンの自動停止装置。
【請求項２】
上記制御手段は、所定の始動条件が成立したときに、上記エンジンの回転に関わらず上記スタータジェネレータによるクランキングを開始して該エンジンを始動させることを特徴とする請求項１記載のエンジンの自動停止装置。
【請求項３】
上記スタータジェネレータは、上記エンジンのクランク軸に対して可撓性伝達要素を介して連結されると共に、該クランク軸に対して回転比が大きく設定されたことを特徴とする請求項１又は２記載のエンジンの自動停止装置。
【発明の詳細な説明】
【０００１】
【発明の属する技術分野】
本発明は、エンジンを自動的に停止させるエンジンの自動停止装置に関するものである。
【０００２】
【関連する背景技術】
エンジンの自動停止装置は種々の分野で実施されており、例えば信号待ちや渋滞等による車両の停車中に、燃費節減とエミッション低減を目的としてエンジンを一時的に自動停止させるアイドルストップ車両に適用されている。この種のアイドルストップ車両では、ブレーキ操作、車速０ｋｍ／ｈ、自動変速機のシフト位置がＤ（ドライブ）位置である等のエンジン停止条件が成立して、車両の停車中にエンジンを停止させ、その後にブレーキ操作の中止等の運転者の発進意志を表すエンジン始動条件が成立したときに、スタータによりエンジンを始動して発進に備えている。
【０００３】
例えば、エンジン停止は燃料供給を中止させることで行われるが、燃料供給の中止直後にエンジン始動条件が成立したときでも、回転中のエンジンのリングギアにスタータモータのピニオンギアが噛合したときの欠損を防止するために、エンジンの完全停止を待ってクランキングを開始している。そのため、完全停止を判定するためには０．５ｓｅｃ程度の時間を要する。
【０００４】
従って、始動条件の成立に対してエンジン始動が遅れることになるため、そのための対策が提案されている（例えば、特許文献１参照）。当該特許文献１に記載されたアイドルストップ車両では、スタータモータをエンジンのクランク軸に対してベルト等で連結して、エンジンの回転中でもクランキングし得るように構成されており、燃料供給の中止直後にエンジン始動条件が成立したときには、エンジンが完全停止する以前にクランキングを開始し、これにより迅速な始動を図っている。
【０００５】
【特許文献１】
特開２００２−２２１０５８号公報
【０００６】
【発明が解決しようとする課題】
ところで、エンジン停止時には騒音や振動が生じ、通常の車両も勿論であるが、特にアイドルストップ車両等では渋滞等でエンジン停止・始動を頻繁に繰り返すため、重大な問題となる。しかしながら、上記特許文献１に記載のアイドルストップ車両では、この点について何ら対策を講じていないため、エンジン停止毎に騒音や振動が増大して乗員に不快感を与えてしまう虞があった。
【０００７】
本発明の目的は、エンジン停止時の騒音や振動を軽減して、これらの騒音や振動による乗員の不快感を抑制でき、ひいては車両のドライバビリティを向上させることができるエンジンの自動停止装置を提供することにある。
【０００８】
【課題を解決するための手段】
上記目的を達成するため、請求項１の発明は、エンジンのクランク軸に連結されたスタータジェネレータと、スタータジェネレータの発電負荷を増加可能な発電負荷増加手段と、所定の停止条件が成立したときにエンジンを停止させると共に、エンジン停止時に発電負荷増加手段によりスタータジェネレータの発電負荷を増加させる制御手段とを備えたものである。
【０００９】
従って、エンジン運転中においてスタータジェネレータはエンジンにより駆動されて発電を行っており、停止条件が成立したときには、制御手段によりエンジンの停止制御と共に、発電負荷増加手段によりスタータジェネレータの発電負荷が増加される。発電負荷の増加に伴ってスタータジェネレータの発電電流が増加するため、スタータジェネレータを駆動するエンジン側に大きな回転抵抗が作用して、エンジン回転速度が急激に低下して速やかにエンジンが停止される。
【００１０】
請求項２の発明は、請求項１において、制御手段が、所定の始動条件が成立したときに、エンジンの回転に関わらずスタータジェネレータによるクランキングを開始してエンジンを始動させるものである。
従って、エンジンのクランク軸に連結されたスタータジェネレータはエンジン回転中でも任意にクランキング可能であり、始動条件が成立したときにはエンジンの回転に関わらず、換言すればエンジンが完全に停止しているか否かに関わらず、直ちにスタータジェネレータによりクランキングが開始されるため、速やかにエンジンが始動される。
【００１１】
請求項３の発明は、請求項１又は２において、スタータジェネレータが、エンジンのクランク軸に可撓性伝達要素を介して連結されると共に、クランク軸に対する回転比が大きく設定されたものである。
従って、クランク軸に対するスタータジェネレータの回転比が大きいため、スタータジェネレータに要求されるトルクが軽減され、それに伴ってクランキング時のスタータジェネレータの消費電力を節減可能となる。
【００１２】
【発明の実施の形態】
以下、本発明をアイドルストップ車両に適用されるエンジンの停止始動装置に具体化した一実施形態を説明する。
図１の全体構成図に示すように、エンジン１は吸気管噴射型の直列４気筒ガソリン機関として構成されている。エンジン１の吸気通路２には各気筒毎に燃料噴射弁３が備えられ、各燃料噴射弁３は図示しない燃料ポンプから燃料を供給される。吸気通路内２内には図示しないエアククリーナから吸気が導入され、導入された吸気はスロットル弁４により流量調整された後に、燃料噴射弁３から噴射された燃料と混合され、混合気として吸気弁の開弁に伴って燃焼室５内に導入される。その後、所定のタイミングで点火プラグ６により混合気が点火され、燃焼後の排ガスが燃焼室５から排気通路７内に排出されて、図示しない触媒や消音器を経て外部に排出される。
【００１３】
エンジン１の一側にはスタータジェネレータ１１が配設され、このスタータジェネレータ１１のプーリ１２は、ウォータポンププーリ１３及びアイドラプーリ１４と共にエンジン１のクランクプーリ１５に対してベルト１６（可撓性伝達要素）により連結されている。スタータジェネレータ１１は発電用のオルタネータとして機能すると共に、エンジン始動用のスタータモータとしても機能する。
【００１４】
即ち、スタータジェネレータ１１は車両に搭載されたバッテリ１７に接続される一方、車両の灯火類やエアコンディショナ（以下、エアコンという）等の電気負荷１８にも接続され、エンジン運転中においては、クランクプーリ１５によりベルト１６を介してウォータポンププーリ１３と共に回転駆動されて、バッテリ１７への充電や電気負荷１８による電力消費を賄う電力を発電する一方、エンジン始動時には、逆にベルト１６を介してクランクプーリ１５を駆動してエンジン１をクランキングする。
【００１５】
スタータジェネレータ１１のプーリ１２の径はクランクプーリ１５の径に比較して十分に大きく（換言すれば、クランク軸に対するスタータジェネレータ１１の回転比が大きく）設定されており、スタータジェネレータ１１が小さなトルクでエンジン１をクランキング可能なように配慮されている。
図２はスタータジェネレータ１１の電気的な接続状態を示す回路図であり、スタータジェネレータ１１は第１ソレノイド２１を介してバッテリ１７に接続される一方、第２ソレノイド２２を介して負荷抵抗２３に接続されている。第１及び第２ソレノイド２１，２２は交互に励磁され、第１ソレノイド２１の励磁時には、スタータジェネレータ１１がバッテリ１７側と接続されて、通常通りバッテリ１７が充放電されると共にスタータジェネレータ１１の発電が行われる。又、第２ソレノイド２２の励磁時には、スタータジェネレータ１１が負荷抵抗２３側と接続されて、スタータジェネレータ１１の発電電力が全て負荷抵抗２３で消費される。つまり、スタータジェネレータ１１の発電電流の増加に伴ってスタータジェネレータ１１に作用する発電負荷が最大となるため、このときのスタータジェネレータ１１の発電量は最大値に保たれる（発電負荷増加手段）。
【００１６】
図示はしないが、このように構成されたエンジン１は自動変速機と連結されて車両に搭載されており、車両走行時において、車速やエンジン１のスロットル開度に応じて変速段が自動的に切換えられる。
一方、車室内には、図示しない入出力装置、制御プログラムや制御マップ等の記憶に供される記憶装置（ＲＯＭ，ＲＡＭ，ＢＵＲＡＭ等）、中央処理装置（ＣＰＵ）、タイマカウンタ等を備えたＥＣＵ３１（エンジン制御ユニット）が設置されている。ＥＣＵ３１の入力側には、運転者によるブレーキ操作を検出するブレーキセンサ３２、車速Ｖを検出する車速センサ３３、自動変速機のシフト位置（自動変速で切換えられる変速段ではなく、運転者により選択されたシフトレバーの位置）を検出するシフト位置センサ３４、エンジン１の回転に伴って所定周期毎にＳＧＴ信号を出力するクランク角センサ３５、運転者によるアクセル操作量Ａｃｃを検出するアクセルセンサ３６、及びその他の各種スイッチやセンサ類が接続されている。又、ＥＣＵ３１の出力側には上記燃料噴射弁３、点火プラグ６、スタータジェネレータ１１、第１及び第２ソレノイド２１，２２、及びその他のデバイス類が接続されている。
【００１７】
ＥＣＵ３１は上記した各検出情報に基づき燃料噴射制御や点火時期制御を始めとするエンジン１を運転するための各種制御を実行する。
又、ＥＣＵ３１は信号待ちや渋滞等による車両の停車中には、燃料消費量の節減やエミッションの低減を目的としてエンジン１を一時的に自動停止させるアイドルストップ制御を実行すると共に、エンジン停止制御開始の際にはスタータジェネレータ１１の発電電流を増加させて、迅速なエンジン停止を図っており、以下、当該アイドルストップ制御の詳細を説明する。
【００１８】
車両のイグニションキーがオンされ、且つ、図示しないモード選択スイッチによりアイドルストップの実行が選択されているとき、ＥＣＵ３１は図３に示すアイドルストップ制御ルーチンを所定の制御インターバルで実行する。尚、通常時のＥＣＵ３１は第１ソレノイド２１を励磁し、第２ソレノイド２２を消磁しており、これによりスタータジェネレータ１１がバッテリ１７側と接続されて通常通りの発電を行っているものとする。
【００１９】
まず、ＥＣＵ３１は、ステップＳ２でエンジン停止条件が成立した否かを判定する。本実施形態ではエンジン停止条件として、ブレーキセンサ３２によりブレーキ操作が検出されていること、車速センサ３３により検出された車速Ｖが０ｋｍ／ｈであること、及びシフト位置センサ３４にて検出されたシフト位置がＤ（ドライブ）等の走行可能な位置、又はＮ（ニュートラル）であることが設定されており、これらの条件が満たされないときには、ＥＣＵ３１はステップＳ２でＮＯ（否定）の判定を下してステップＳ４に移行する。
【００２０】
ステップＳ４ではエンジン始動条件が成立した否かを判定する。本実施形態ではエンジン始動条件として、ブレーキセンサ３２によりブレーキ操作の踏込みが解除されたとき、且つ、シフト位置センサ３４にて検出されたシフト位置がＤ等の走行可能な位置であることが設定されており、これらの条件が満たされないときには、ＥＣＵ３１はステップＳ４でＮＯの判定を下して一旦ルーチンを終了する。
【００２１】
又、エンジン停止条件が成立してステップＳ２の判定がＹＥＳ（肯定）になると、ステップＳ６でエンジン停止処理として燃料噴射制御を中止する。続くステップＳ８ではスタータジェネレータ１１の発電電流を増加させた後、ルーチンを終了する（制御手段）。
ステップＳ８の処理は以下の手順で行われる。まず、第１ソレノイド２１を消磁し、第２ソレノイド２２を励磁することで、スタータジェネレータ１１を負荷抵抗２３側と接続する。結果としてスタータジェネレータ１１の発電電流が最大値に保たれるため、スタータジェネレータ１１を駆動するエンジン１側に大きな回転抵抗が作用して、停止処理後のエンジン１は回転速度を急激に低下させて速やかに停止される。
【００２２】
当該処理は、例えばエンスト判定によりエンジン１の完全停止が確認されるまで継続され、クランクセンサ３５からのＳＧＴ信号が所定時間に亘って途絶えてエンスト判定を下すと、ＥＣＵ３１は第１ソレノイド２１を励磁し、第２ソレノイド２２を消磁して通常状態に復帰する。
一方、このようにしてエンジン１を停止した後、エンジン始動条件の成立に伴ってステップＳ４の判定がＹＥＳになると、ＥＣＵ３１はステップＳ１０に移行して車両のエアコンが作動中のときには当該エアコンを停止させる。その後、ステップＳ１２でエンジン始動処理として燃料噴射制御を再開すると共にスタータジェネレータ１１を作動させてエンジン１のクランキングを開始する（制御手段）。
【００２３】
エアコンの停止によりエアコン用コンプレッサの電磁クラッチが解除されるため、スタータジェネレータ１１はコンプレッサに駆動力を奪われることなくクランキングを行う。続くステップＳ１４でエンジン１が完爆（例えば、エンジン回転速度Ｎｅ≧所定値Ｎ０）になったか否かを判定し、判定がＹＥＳになるとステップＳ１６でクランキングを中止し、ステップＳ１８でエアコンの作動を再開した後、ルーチンを終了する。
【００２４】
ここで、例えば信号待ちでエンジン停止条件が成立し、その直後に青信号への切換に応じて運転者が発進すべくブレーキ操作を中止した場合には、ステップＳ６でのエンジン停止処理によりエンジン回転速度Ｎｅが低下中、つまりエンジン１が完全に停止する以前にエンジン始動条件が成立することになる。このような場合、本実施形態ではエンジン回転中でもスタータジェネレータ１１によりエンジン１を任意にクランキングできるため、エンジン始動条件の成立を受けてステップＳ１２で直ちに燃料噴射制御の再開と共にクランキングが開始され、エンジン１を速やかに始動可能となる。
【００２５】
図４はエンジン始動条件の成立で直ちにクランキングを開始する本実施形態の手法と、エンスト判定後にクランキングを開始する従来の手法とのエンジン回転速度Ｎｅの回復状況を比較したタイムチャートである。尚、本実施形態の手法では、エンジン始動条件の成立タイミングに応じてエンジン回転速度Ｎｅの回復状況も異なるため、エンジン停止処理（図中では燃料カットのＦ／Ｃで示す）からエンジン始動条件が成立するまでのエンジン１の行程数に符号「Ａ」を付して表し、例えばＦ／Ｃから１行程目でエンジン始動条件が成立した場合はＡ１と表し、これに対して従来手法をＢで表す。
【００２６】
図に示すようにＦ／Ｃ後にエンジン回転速度Ｎｅは低下し始めるが、従来手法Ｂでは、エンジン１が完全停止してエンスト判定を下してから（上記のようにＳＧＴ信号が途絶えてから所定時間後）エンジン始動処理を開始するため、Ｆ／Ｃからエンジン回転速度Ｎｅが目標アイドル回転速度ｔｇｔＩＤに回復するまでの回転復帰時間Ｔｂが非常に長い。これに対して本実施形態の手法では、エンジン始動条件の成立を受けて直ちにエンジン始動処理が行われるため、エンジン回転速度Ｎｅは速やかに目標アイドル回転速度ｔｇｔＩＤに回復し、その回転復帰時間Ｔａ（図ではＡ１の場合を示す）が非常に短いことがわかる。
【００２７】
又、図５は従来手法による回転復帰時間に対する本実施形態の手法による回転復帰時間の短縮効果を示す説明図であり、特にエンジン始動条件が早期に成立するほど大きな短縮効果が得られ、エンジン始動条件の成立が最も遅い５行程後でもエンスト判定時間相当の短縮効果が得られることがわかる。
以上のように本実施形態のアイドルストップ車両用におけるエンジン１の停止始動装置では、エンジン停止条件の成立に伴ってエンジン１を停止させるときに、負荷抵抗２３によりスタータジェネレータ１１の発電電流を増加させてエンジン１側に大きな回転抵抗を作用させるため、エンジン回転速度Ｎｅを急激に低下させて速やかにエンジン１を停止できる。よって、エンジン停止時に生じる騒音や振動を軽減して、譬え渋滞等でエンジン停止・始動を頻繁に繰り返す場合であっても、これらの騒音や振動による乗員の不快感を抑制でき、ひいては車両のドライバビリティを向上させることができる。
【００２８】
又、エンジン回転中でも任意にクランキング可能なスタータジェネレータ１１の特性を利用して、エンジン始動条件が成立したときには直ちにエンジン始動処理を開始するため、速やかにエンジン１を始動できる。特にアイドルストップ車両では車両発進のために迅速なエンジン始動が要求されるが、このような要望にも十分に応じて運転者に心理的な余裕を与えることができ、ひいてはアイドルストップ車両としてのドライバビリティを向上させることができる。
【００２９】
更に、スタータジェネレータ１１のプーリ１２の径がクランクプーリ１５の径に比較して十分に大きく設定されているため、スタータジェネレータ１１に要求されるトルクを軽減して消費電力を節減できる。加えて、クランキング時のエアコン停止もスタータジェネレータ１１の消費電力の節減に貢献する。アイドルストップ車両では渋滞等でエンジン停止・始動を頻繁に繰り返すため、エンジン始動時にスタータジェネレータ１１がかなりの電力を消費し、これを補うために始動後にスタータジェネレータ１１の発電量が増加して燃費悪化の要因となるが、クランキング時の消費電力を節減することで、このような不具合を未然に回避することができる。
【００３０】
以上で実施形態の説明を終えるが、本発明の態様はこの実施形態に限定されるものではない。例えば上記実施形態では、アイドルストップ車両に適用される停止始動装置に具体化したが、その用途はこれに限ることはなく、例えばハイブリッド車両用の停止始動装置に具体化してもよい。ハイブリッド車両では走行状態やバッテリのＳＯＣ（Ｓｔａｔｅ  Ｏｆ  Ｃｈａｒｇｅ）等に応じてエンジンを停止始動させているが、上記実施形態と同様にスタータジェネレータの発電電流を増加させてエンジンを速やかに停止させれば、振動や騒音の軽減により乗員の不快感を抑制できる。
【００３１】
又、アイドルストップ車両用の停止始動装置として具体化した場合でも、エンジン１や変速機の種類は上記実施形態に限ることはなく、例えばエンジン１の気筒配列を変更したり、筒内噴射型エンジンとして構成したり、或いは自動変速機に代えて手動変速機を適用したりしてもよい。
一方、上記実施形態では、エンジン停止条件として、ブレーキ操作、車速０ｋｍ／ｈ、シフト位置がＤ等の走行可能な位置又はＮ位置であることを設定し、エンジン始動条件として、ブレーキ操作の中止、シフト位置がＤ等の走行可能な位置であることを設定したが、停止条件及び始動条件はこれに限定されることはなく、例えばエンジン停止条件として、上記アクセルセンサ３６により検出されたアクセル操作量Ａｃｃが０（アイドル運転中）であることを加えてもよい。
【００３２】
更に、エンジン始動は必ずしも自動的に行う必要はなく、例えばエンジン停止条件に基づいてエンジン１を自動停止させた後は、運転者が自らキー操作によりエンジン１を始動させるようにしてもよい。
【００３３】
【発明の効果】
以上説明したように請求項１の発明のエンジンの自動停止装置によれば、スタータジェネレータの発電負荷を増加させることでエンジンに大きな回転抵抗を作用させて速やかに停止させるため、エンジン停止時の騒音や振動を軽減して、これらの騒音や振動による乗員の不快感を抑制でき、ひいては車両のドライバビリティを向上させることができる。
【００３４】
請求項２の発明のエンジンの自動停止装置によれば、請求項１に加えて、始動条件が成立したときに直ちにクランキングを開始可能なため、速やかにエンジンを始動することができる。
請求項３の発明のエンジンの自動停止装置によれば、請求項１又は２に加えて、クランク軸に対するスタータジェネレータの回転比を大きくすることで、スタータジェネレータに要求されるトルクを軽減してクランキング時の消費電力を節減することができる。
【図面の簡単な説明】
【図１】実施形態のアイドルストップ車両に適用されたエンジンの停止始動装置を示す全体構成図である。
【図２】スタータジェネレータの電気的な接続状態を示す回路図である。
【図３】ＥＣＵが実行するアイドルストップ制御ルーチンを示すフローチャートである。
【図４】エンジンの完全停止以前に始動条件が成立したときのエンジン回転速度の回復状況を実施形態の手法と従来の手法とで比較したタイムチャートである。
【図５】従来の手法に対する実施形態の手法の回転復帰時間の短縮効果を示す説明図である。
【符号の説明】
１    エンジン
１１  スタータジェネレータ
１６  ベルト（可撓性伝達要素）
２１  第１ソレノイド（発電負荷増加手段）
２２  第２ソレノイド（発電負荷増加手段）
２３  負荷抵抗（発電負荷増加手段）
３１  ＥＣＵ（制御手段）
【図１】
2004293327.tif 000003
【図２】
2004293327.tif 000004
【図３】
2004293327.tif 000005
【図４】
2004293327.tif 000006
【図５】
2004293327.tif 000007